(57)【要約】【課題】ニンニクの個別包装をする場合に、ディスプレイ効果があり、品質確認を行えるニンニク包装用帯片及びこの帯片で包まれたニンニクを提供する。【解決手段】帯片（１）の略中央にニンニク凸部（１０１）を挿入する孔（２）を１以上設け、前記孔（２）からニンニク凸部（１０１）を突出させて両端を巻込みニンニクの左右側を露出させ下端をシール（４）で止めて包むニンニク包装用帯片で、ニンニクの包装を改良した。帯片（１）には滑り止め（６）を設けたり、孔（２）を複数以上設けた構成も提案する。これらの構成で帯片（１）は、ニンニクを露出しながら保護しかつ品質を視認できるように展示包装ができる。【選択図】図１
0003126902.tif 000002
【実用新案登録請求の範囲】
【請求項１】
帯片（１）にニンニク凸部（１０１）を挿入する孔（２）を１以上設け、前記孔（２）からニンニク凸部（１０１）を突出させて前記帯片（１）の両端を巻込みニンニクの左右側を露出させて包むことを特徴とするニンニク包装用帯片。
【請求項２】
帯片（１）の略中央にニンニク凸部（１０１）を挿入する孔（２）を設け、前記孔（２）からニンニク凸部（１０１）を突出させて帯片（１）の両端を巻込みニンニクの左右側を露出させ帯片（１）の両端をシール等の連結手段で止めて包むことを特徴とするニンニク包装用帯片。
【請求項３】
前記帯片（１）の両端部にニンニク凸部（１０１）を挿入する孔（２）・孔（２１）を設け、前記孔（２）からニンニク凸部（１０１）を突出させて巻き込み、さらに他端の孔（２１）を被せて係止し、ニンニクの左右側を露出させて包むことを特徴とするニンニク包装用帯片。
【請求項４】
前記帯片（１）に通気孔（７）を設け、前記孔（２）はニンニク凸部（１０１）と点接触する孔（２５）としたことを特徴とする請求項１〜請求項３のいずれかに記載のニンニク包装用帯片。
【請求項５】
前記帯片（１）の表面にニンニク本体（１００）を包んである方向に折り曲げることができる横滑り止め（６）を設け、及び又は前記帯片（１）にニンニク本体（１００）を乗せる方向に折り曲げることができる横滑り止め（６１）を設けたことを特徴とする請求項１〜請求項４のいずれかに記載のニンニク包装用帯片。
【請求項６】
前記帯片（１）に折り目（５）を設けたことを特徴とする請求項１〜請求項５のいずれかに記載のニンニク包装用帯片。
【請求項７】
帯片（１）の略中央にニンニク凸部（１０１）を挿入する孔（２）を設け、前記孔（２）からニンニク凸部（１０１）を突出させて帯片（１）両端を巻込み、ニンニクの左右側を露出させ下方に巻き込まれた両端をシール（４）で止めて包むことを特徴とし、前記帯片（１）の少なくとも可視できるに表面に広告等表示部（３）を形成したことを特徴とするニンニク包装用帯片。
【請求項８】
帯片（１）に両端部にニンニク凸部（１０１）を挿入する孔（２）・孔（２１）を設け、前記孔（２）からニンニク凸部（１０１）を突出させて巻き込み、さらに他端の孔（２１）を被せて係止してニンニクの左右側を露出させて包むことを特徴とし、前記孔（２）（２１）の少なくとも一つが縦長の孔であるニンニク包装用帯片。
【請求項９】
前記帯片（１）は鮮度保持処理又は除菌処理等の二次加工をしていることを特徴とする請求項１〜請求項８のいずれかに記載のニンニク包装用帯片。
【請求項１０】
前記請求項１〜請求項９のいずれかに記載のニンニク包装用帯片で包まれたことを特徴とするニンニク包装用帯片で包まれたニンニク。
【考案の詳細な説明】
【技術分野】
【０００１】
本考案は、ニンニクを販売する際のニンニクを包む帯片に関するものであり、その帯片で包まれたニンニクに関するものである。
【背景技術】
【０００２】
ニンニクは、ユリ科の多年草でオオニンニクやオオビル(大蒜)ともいわれ、高さ３０〜６０ｃｍに直立し、葉  根の部分いずれも食材である。
一般的には肥大した白または帯紅色の被膜に包まれた鱗茎を利用する。
ニンニクの鱗茎は偏球状に肥大し，放射状に着生した4〜１０数個の鱗片が茎芯方向に向いて偏球状に集まっている。
食材としては、おもに鱗茎がケチャップやソース類などの調味料や，肉，魚の香辛料として利用され、又ガーリックパウダーや調味料として広く使われている。
ニンニクのにおいはアリルトリサルファイド(三硫化アリル)で強烈で芳香志向の現代食生活では欠かせない食材である。またビタミン B1を多く含んでいる。
【０００３】
さて、一般にニンニクを包装する場合、茎芯（以下ニンニク凸部と称する）を少し残して鱗茎（以下ニンニク本体と称する）を１個詰めする場合と、多数個袋詰めする場合と、１個のニンニクを分離して鱗片のみとして包装する場合とがある。
【０００４】
１個詰めの場合は、販売する店では、ニンニクを小ネットや小袋に入れて販売を行っている。従来の包装形態を図８で示す。図８は、小ネット（８）にニンニクを入れて小ネットの口を商品のタグ（９）で閉塞したものである。
そのほか、小袋に入れて販売するものもあるが、小袋は透明袋でニンニクが見えるように配慮してある。
また大量のニンニクをネットや大袋に入れて販売する場合は、業務用が多く、その包装は特に定まってはいない。
【０００５】
ところが、前記のようにニンニクを小ネット（９）や小袋に入れて販売を行うと、店員やお客様がニンニクの品質を確認する場合、ネット（９）等が邪魔になりニンニクの状態をはっきり視認することができない。
【０００６】
また、個別ではなく複数個をまとめて小ネットや小袋に入れ販売を行うと、中でニンニクの形が変わったり潰れたりと品質を保てないままお客様の手に渡るという例もあった。
【０００７】
そのほか、従来の包装は、ニンニクの鱗片を複数個入れまとめて販売を行うものがある。(例えば、特許文献１参照。)
しかし、ネットも透明ビニール包装も、青果・野菜で公知の通常の包装であり、ニンニク特有の形態に適合した包装を使用しているものはなかった。
【０００８】
【特許文献１】特開平１１−００９１８３号公報
【０００９】
しかし、上述のようにネット（９）や袋に入れてしまうと店員やお客様がニンニクの品質を確認する際、ネット等が邪魔になりニンニクの状態をはっきり視認することができない。
ニンニクの堅さなども実感できない。
【考案の開示】
【考案が解決しようとする課題】
【００１０】
本考案が解決しようとする課題は、以下の通りである。
（１）従来の小ネットに入れて販売する場合、ネット網目のためにニンニクをはっきり視認できない点。
（２）従来の小袋に入れて販売する場合、包装が過多である事も多く、ニンニクを個別に触りたい場合は包装を破いてしか確認できない点。
（３）ニンニクの独特な形に合わせ作られたスマートな包装がない点。
（４）従来のニンニクを包装する物には広告的役割が考慮されていないし、法的義務表示や商標等の広告面が少ない点。
（５）簡易な包装で、商品ニンニクを保護し、かつ商品価値を高められる包装形態が見当たらない点。
【課題を解決するための手段】
【００１１】
本考案は、ニンニクの大きさに合わせた帯片を作ることにより、簡易包装で、商品を保護し、店員やお客様がそのままでニンニクの状態を確認することができる視認性を高め、ディスプレイ効果があり、ニンニクに適切な包装および適切に包装されたニンニクを提供することを主要な目的とする。
【００１２】
この目的及び前記課題を解決するため、本考案は、帯片（１）にニンニク茎芯であるニンニク凸部（１０１）を挿入する孔（２）を１以上設け、前記孔（２）からニンニク凸部（１０１）を突出させて、その帯片（１）の両端を巻込み、ニンニクの左右側を露出させて包むことを特徴とするニンニク包装用帯片を開発した。
【００１３】
前記孔（２）は、帯片（１）の略中央に１個、或いは両端に２個、或いは多数個小間隔をおいて列設する構成を提案する。
多数個の孔（２）がある場合は、支点とする孔を１以上決めて使用する。
【００１４】
帯片（１）は、ニンニク本体（１００）に捲着するが、横方向ではなく縦方向に捲着するのが特徴である。
帯片（１）の両端を巻込みニンニクを包んだあとの端部の連結手段乃至形態保持手段は、シール貼着、切込み線結合  折れ線での屈折などが提案できる。
帯片（１）は、多数の小孔を設けて通気性を向上させる形態や、素材自体に除菌、殺菌、酸化防止、鮮度保持などの処理ができる。
【００１５】
また本考案の二つ孔の構成として、帯片（１）の両端部それぞれにニンニク凸部（１０１）を挿入する孔（２）と変形楕円状の孔（２１）を設け、前記孔（２）からニンニク凸部（１０１）を突出させて一旦捲き込み、さらに他端の孔（２１）を被せて係止し、両方の孔（２）（２１）で係止して巻き付け、ニンニクの左右側を露出させて包むことを特徴とした具体例も提案する。
さらにはこれらの構成の帯片（１）が施された商品として「包装されたニンニク」を提供する。
【考案の効果】
【００１６】
本考案は、ニンニク１個を個別に包装するもので、ニンニクの大きさに合わせた帯片を作ることにより、簡易包装で、商品の本体部分をしっかり保護し、取扱者や消費者がそのままニンニクの状態を確認することができる視認性を高めたもので、ニンニク包装に適切な帯片および適切に包装されたニンニクを提供できる。
そして、個別包装となるので従来のように複数個を小ネットや小袋に入れ持ち運びの際に中でニンニクの形が変わったり潰れたりすることがない。
【００１７】
帯片（１）の全体構成は、帯状の長方形であるが、帯片（１）を捲着する態様では、帯片（１）を湾曲したなだらかな形態で包装できる態様、又は折り目（５）がある帯片（１）では角張った形態でニンニクを包装できる態様を提供する。
それぞれ見た目が綺麗になるように形成されている。
そのため商品としてお店で陳列する場合でも、裸の状態で販売されている他の青果物に比べても包装されたニンニクの方が目立つようになりお客様の吸引力にもつながる。
【００１８】
帯片（１）は表示部（３）の面積が広く多くあり、その表示部（３）は自由に使用することができる。
商品の販売には表示の法的規制があり記載しなければならない項目がある。
例として産地、販売者、保存方法、賞味期限、原材料名、名称、内容量等があり、またバーコード、商標、包装に使用した物のリサイクル方法、問い合せ先等を任意で記載する。
これらを考慮し表示部（３）の面積を広く確保し広告表示等にも使用可能になっている。
商売上、上記帯片（１）は包装として実際的であり、消費者のアイキャッチができ、商品管理上も利便性が高い。
【００１９】
帯片（１）に多数の小孔からなる通気孔（７）を穿設し、孔（２）をニンニク凸部（１０１）との接触する部分を減少させる形状即ち点接触となる形状の孔（２５）を設けることにより、見た目に通気感を与える事ができる。
厳密にいえば通気性がよくなり湿気をなくしニンニクの鮮度を長期にわたり保つことを可能とし、その印象を喚起することになる。
【００２０】
帯片（１）はニンニク本体（１００）をしっかり縦方向に捲着し包むよう形成されており、横滑り止めを設けた構成では、ニンニクが全く動くことがなくなり、落下防止にもつながる。
【００２１】
帯片（１）には食品包装としての鮮度保持等の効果がある鮮度保持処理又は除菌処理等の二次加工ができる。
例えば、鮮度保持剤を使用すれば、防腐、防カビ、発芽発根の抑制等の役割を果たしニンニクの鮮度を長期にわたり保存する事が可能となり、可及的に鮮度が落ちないように工夫される。
【００２２】
帯片（１）の素材は、特に限定するものではないが、最も普通には紙にプリントしたものであり、軽量であり、保管も簡便である。強度も十分にある。
【００２３】
帯片（１）１枚でニンニクを包み、そして表示面（３）を設けたことから商品の産地、値段等を表示面に記載できるため、従来のように小ネット（８）や小袋を使用する際の商品のタグ（９）を取り付ける作業を必要としないため作業効率があがり、封をする際に使用するテープやホッチキスの針等を使用することがなく、商品のタグ（９）等を取り付ける際に使用するテープやホッチキスの針等も使用することがないため廃棄物発生の抑制にもつながる実益がある。
【考案を実施するための最良の形態】
【００２４】
本考案に係るニンニク包装用帯片の実施の一形態を説明する。
最良の形態は、ニンニク本体（１００）＝鱗茎を包める長さの帯片（１）にニンニク凸部（１０１）を挿入する孔（２）を１以上設けた形態である。
ニンニク凸部（１０１）を前記孔（２）から突出させてピッタリと差し込んで両端を巻込み、前記孔（２）からでたニンニク凸部（１０１）を支点として帯片（１）をニンニク本体（１００）に包んでいる。
本考案のニンニク包装用帯片は、ニンニク凸部（１０１）を包装の支点として利用する着想がある。
具体的には、帯片（１）の略中央にニンニク凸部（１０１）を挿入する孔（２）を設け、前記孔（２）からニンニク凸部（１０１）を突出させて帯片（１）の両端を巻込みニンニクの左右側を露出させ、帯片（１）の両端をシール（４）等の連結手段乃至は形態保持手段で止めて包むニンニク包装用帯片である。
【００２５】
孔（２）を２カ所に設けた形態では、帯片（１）に両端部にニンニク凸部（１０１）を挿入する孔（２）・孔（２１）を設け、前記孔（２）からニンニク凸部（１０１）を突出させて下から巻き込み、さらに他端の孔（２１）を被せて係止し、ニンニクの左右側を露出させて包むニンニク包装用帯片として構成した。
そして前記ニンニク包装用帯片で包装されたニンニク自体も本考案の提案するものとなる。
【００２６】
ニンニク包装用帯片で包装されたニンニクは、左右開放され、茎芯の上端も開放されて、全体の色や艶、張り具合等が視認でき、場合によっては触ることもできる。
商品を選択するときの商品情報が全部開示されることになる。
この効果は、販売上たいへん有利である。
【実施例１】
【００２７】
図１は本考案に係るニンニク包装用帯片の実施例１を示す全体斜視図とニンニクの正面図である。ニンニクからの矢印で示すように実施例１の帯片でニンニクを包んだ状態を図示している。
図２は同じく本考案に係るニンニク包装用帯片の実施例１を示す帯片の平面図である。
図３は同じく本考案に係るニンニク包装用帯片の実施例１を示すニンニクを包んだ状態を下から見た平面図である。
【００２８】
図１に示す実施例１は、帯片（１）の略中央にニンニク凸部（１０１）を挿入する孔（２）を設け、前記孔（２）からニンニク凸部（１０１）を突出させて両端を巻込みニンニクの左右側を露出させ下端をシール（４）で止めたニンニク包装用帯片及びその帯片で包まれたニンニクである。
帯片（１）は、全体は長い長方形で、略中央に円形の孔（２）を設けたものである。
【００２９】
その幅は、被包装体であるニンニク本体（１００）の径とほぼ同じ幅で、長さは偏球部分を縦方向からくるりと囲繞できる長さである。
略中央に円形の孔（２）の寸法は、ニンニク凸部（１０１）の根元部がピッタリと合う直径２，０ｃｍである。
帯片（１）の表面には、全体に渡り商品説明や広告、標章等が表示されている。
【００３０】
実施例１の基本構成は、被包装側のニンニク凸部（１０１）を、これを覆う帯片（１）の支点として利用するという着想である。
そのため、帯片（１）は、そのニンニク凸部（１０１）に係止できる何らかの構成を有すること、係止する構成はニンニク凸部（１０１）にピッタリと適合したイメージをもつこと、無駄なく帯片（１）を巻き込み、商品の装飾的包装を完結すること、を具体的課題として、実施されたものである。
【００３１】
実施例１の帯片（１）の幅や長さ、囲繞する支点となる略中央の孔の円形状は、多数の設計例のなかから選別し、シンプル化をして到達したものである。
全体の形状や孔の形状は、デザインを加味するなど様々に設計変更ができるが、多数のデザイン例のうちのひとつを実施例１として開示した。
【００３２】
さて、ニンニクの鱗茎＝ニンニク本体（１００）の直径の平均的な大きさは５〜７ｃｍ位であるが、実売する場合は、Ｓサイズが５ｃｍ〜６ｃｍ、Ｍサイズが６ｃｍ〜７ｃｍ、Ｌサイズが７ｃｍ以上として価格設定等がなされている。
そのため、出荷時もこのような農業規格寸法を決めて分別出荷している。
もとより、この寸法や価格は収穫年度の気候等の諸事情により多少変化がある。
このような農業規格寸法を前提として、帯片（１）は作成される。
【００３３】
実施例１では、ニンニク包装用帯片の帯片（１）は平均的な各サイズに合わせ帯状紙で３種類構成した。
帯片Ｓサイズ縦１５ｃｍ  横５ｃｍで構成。
帯片Ｍサイズ縦１６ｃｍ  横６ｃｍで構成。
帯片Ｌサイズ縦１７ｃｍ  横７ｃｍで構成。
以上の構成で問題なくサイズ別のニンニクの包装が可能である。
勿論Ｌサイズの寸法の帯片で、Ｓ、Ｍサイズは包装できる。
【００３４】
実施例１は、帯片（１）の素材、広告表示部（３）の大きさ、場所、形を限定するものではない。
サイズも実施例のものに限定されるものではなく、又形状も長方形に限らず、逆ハート形や、ニンニク本体（１００）の側面図柄を表すような形状を対向させてデザインしても良い。
帯片（１）は、全体に多数の小孔を設けて通気性を向上させる形態をとってもよい。
又、素材自体を除菌、殺菌、酸化防止、鮮度保持などの二次加工処理ができる。
【００３５】
帯片（１）の両端を巻込みニンニクを包んだあとの端部は、シール（４）の連結手段で連結される。
連結する手段は糊でもよいし、切込み線結合などでもよく、その手段は問わない。
又、帯片（１）は積層素材として構成することも可能である。
そのうちの一層にニンニク本体（１００）に適する鮮度保持作用のある保存材を含浸させるなどの処理は任意にできる。
選定する鮮度保持剤によっては、防腐、防カビ、発芽発根の抑制等の作用があり、鮮度を長期にわたり保存する事が可能である。
【００３６】
帯片（１）は、最も普通には紙にカラープリントしたものであるが、その素材は問わず、紙や積層紙  和紙、ビニールその他の合成樹脂素材でも良い。
実施例１の単純化された長方形の帯片（１）は、丈夫であり店頭に並べる時や、持ち運びをする際でも相当の力が加わらない限り折れ曲がったり、破れたりすることがほとんどない。
【実施例２】
【００３７】
図４は、本考案に係るニンニク包装用帯片の実施例２を示す帯片（１）の平面図である。
図４は、中途に折れ線（５）を設けて折れ線部分で内側に折り込んで、シャープな線を出して包装するための実施例２である。
包み込んだ後の、帯片（１）の折り込み形状の保持は、帯片（１）の素材によっては折れ線（５）の折り込みで十分な場合もある。
素材によっては、シール（４）の貼付や、帯片（１）の両端に図示のようなＬ字状の切込み線を設けて、それらを組み合わせて連結して包装する。
【実施例３】
【００３８】
図５は、実施例３を示す帯片（１）の平面図である。
帯片（１）に多数の小孔を設けた通気孔（７）を設け、さらにニンニク本体（１００）に接触する部分を減少させるべく点接触の形状である星形の孔（２５）を設けたものを示している。
孔（２５）はニンニク凸部（１０１）の直径に合わせた星形にしているものである。デザイン性と接触を極力避ける構成である。
本考案に係る帯片（１）で包装したニンニクと、裸のニンニクを数日間同じ場所に放置し比較した結果、本考案の帯片（１）で包装したニンニクが鮮度が落ちることがないことが判明し、少なくとも包装による劣化は全くないことが確認できた。
【実施例４】
【００３９】
図６は本考案に係るニンニク包装用帯片の実施例４を示す平面図である。
図７は本考案に係るニンニク包装用帯片の実施例４でニンニクを包んだ状態を示す斜視図である。
実施例４では、帯片（１）の両端にそれぞれ１個の孔（２）、孔（２１）を設けている。
実施例４の帯片（１）は、帯片（１）の両端部にニンニク凸部（１０１）を挿入する孔（２）・孔（２１）を設け、前記孔（２）からニンニク凸部（１０１）を突出させて巻き込み、一回りしてさらに他端の孔（２１）を被せて係止し包むことを特徴としている。
【００４０】
帯片（１）の略中央部分をニンニク本体（１００）偏球の直径と略同じ幅か或いは少し幅を大きくした形状である。
又、上から接触する横滑り止め（６）と側面に配置する横滑り止め（６１）として、帯片（１）の表面にニンニク本体（１００）を包んである方向に折り曲げることができる横滑り止め（６）を設け、及び前記帯片（１）にニンニク本体（１００）を乗せる方向に折り曲げることができる側面側の横滑り止め（６１）を設けている。
横滑り止め（６）は外側に立ち起こすと立体的ディスプレイになり、横滑り止め（６１）を大きく形成すると側面方向の保護にもなる。
横滑り止め（６）と側面側の横滑り止め（６１）は、両者とも付設し或いは選択的にひとつを付設することができる。
【００４１】
次ぎに、２つの孔（２）（２１）は、ニンニク凸部（１０１）を挿入する孔（２）は円形とし、・孔（２１）は長い楕円形としている。
これは多数個のニンニク本体（１００）なかでその大きさに多少差があっても、孔（２）はしっかりと嵌り、孔（２１）で調整しながらも両方が入って包装するためである。
孔の形状は、孔（２）を楕円形とし、孔（２１）を円形とするとか、一方を正方形、他方を長方形にするとか、双方とも楕円形や縦長円にするとかは自由にできる。
前記孔（２）（２１）の少なくとも一つが縦長の孔であることが構成上の特徴である。
被包装側のニンニク凸部（１０１）を帯片（１）の支点として利用できる形態であれば孔の形状は様々に設計変更ができる。
【００４２】
実施例１，実施例２，実施例３の帯片（１）でニンニクを包んだ場合でも、又前記実施例４の帯片（１）にニンニクを包み使用したところ、いずれも動きを固定され安定した状態を保っていることを確認した。
これは、帯片（１）自体が軽量であるので、一旦孔（２）（２１）にニンニク凸部（１０１）が入ると、その帯片片（１）は少しの接触部位でも安定し、無理やり破かない限り移動できず、しっかりとニンニク本体（１００）を被覆した状態を維持するからである。
【００４３】
以上の実施例１〜４はあくまで一例であり、本考案に係るニンニク包装用帯片は、寸法、素材、孔の数などはこれに限定されるものではない。
例えば、図示していないが、孔（２１）や孔（２５）を多数個開けて小間隔をおいて列設する構成でもよく、その内略中央の孔（２）をニンニク凸部（１０１）に被せて、包装しても良く、その同じ列設した孔のうち両端の２個を使用して実施例３のような包装形態をとっても良い。
【００４４】
帯片の素材はフィルム、ナイロン等でも実施可能であり、通気性を良くする孔の形や数、鮮度保持剤に他の保存材を使用することなどは本考案者が予想する設計変更事項である。
【００４５】
次に、本考案は、シンプルな構成にしたため、帯片（１）のニンニクへの捲付けをオートメーション化することも可能である
実施例１の帯片（１）は、コンベア上を進行するニンニクに１枚ずつ被せられて、その両端を機械的に屈曲した後、シール（４）を自動貼付する工程で、連続的にニンニク包装が可能である。
大量なニンニクの連続包装が可能であり、産業上の利用可能性は高い。
【００４６】
その帯片（１）で包まれたニンニクは、良く視認できる状態で、かつ１個ごとに商品情報をその表面に表記して展示される。
縦方向に帯片（１）が包装されているので、その表面に表示される広告も見やすいものとなる。
【産業上の利用可能性】
【００４７】
本考案の帯片およびその帯片で包んだニンニクは、小ネットや袋に入れた閉塞包装ではないので、ニンニクの形が変わったり潰れたりした場合はすぐに判るものである。消費者は選別の情報を購入の際その場で得ることができる。
ニンニク流通の安全に直接寄与できる。
【００４８】
本考案のニンニク包装用帯片は、その構成上、中央頂部に突起がある野菜や食材の帯片として利用が可能である。
例えば、カボチャ、蔓付きトマト、などに使用すれば、被包装物を保護し、商品情報を表示できる。
【図面の簡単な説明】
【００４９】
【図１】ニンニクと本考案に係るニンニク包装用帯片の実施例１である帯片で包装した状態を示す全体斜視図である。
【図２】本考案に係るニンニク包装用帯片の実施例１を示す帯片の平面図である。
【図３】実施例１の帯片でニンニクを包みシールを貼った状態を下から見た底面図である。
【図４】本考案に係るニンニク包装用帯片の実施例２を示す帯片の平面図である。
【図５】本考案に係るニンニク包装用帯片の実施例３を示す帯片の平面図である。
【図６】本考案に係るニンニク包装用帯片の実施例４を示す展開平面図である。
【図７】本考案に係るニンニク包装用帯片で包装されたニンイクの実施例４を示す斜視図である。
【図８】従来の小ネットによる包装例の斜視図である。
【符号の説明】
【００５０】
１    帯片
２    孔
３    表示部
４    シール
５    折り目
６    横滑り止め
７    通気孔
８    小ネット
９    商品のタグ
２１  孔
２５  孔
６１  横滑り止め
１００ニンニク本体（鱗茎）
１０１ニンニク凸部（茎芯）
【図１】
0003126902.tif 000003
【図２】
0003126902.tif 000004
【図３】
0003126902.tif 000005
【図４】
0003126902.tif 000006
【図５】
0003126902.tif 000007
【図６】
0003126902.tif 000008
【図７】
0003126902.tif 000009
【図８】
0003126902.tif 000010